(57)【特許請求の範囲】
【請求項１】
スイッチ装置用のセイフティロックアウトデバイスであって、
第１のポジションから第２のポジションへと動作させられるよう構成された可動部材と、
前記スイッチ装置内のモーターを電気的に隔離するよう構成されたスイッチと、
前記モーターのシャフトに対して結合されたブロックアームと、を備え、前記第１のポジションにおいては、前記可動部材は、電気的モーター回路を閉じるように前記スイッチと係合しかつ前記ブロックアームは前記モーターシャフトと共に自由に回転することができ、かつ、前記第２のポジションにおいては、前記可動部材は前記スイッチから離れるように移動し、これによって、前記スイッチは前記モーターへの電力を遮断する開回路状態となり、かつ、前記ブロックアームが前記モーターシャフトの回転および前記スイッチ装置の状態の変更を阻止するために前記可動部材と係合するポジションへと前記可動部材の一部が移動させられることを特徴とするセイフティロックアウトデバイス。
【請求項２】
前記可動部材は、軸方向にスライド可能なバーであることを特徴とする請求項１に記載のセイフティロックアウトデバイス。
【請求項３】
前記可動部材は、ホットスティックループを含むことを特徴とする請求項１に記載のセイフティロックアウトデバイス。
【請求項４】
前記スイッチは、ボールが押圧された際にスイッチが閉じられかつ前記ボールが押圧されていないときに前記スイッチは前記モーターへの電力を遮断する開回路となるボールリミットスイッチであることを特徴とする請求項１に記載のセイフティロックアウトデバイス。
【請求項５】
前記スライド可能なバーは、それ自体に孔を有する一対の離間したブラケットを用いてスイッチ装置モーターボックスに対して搭載されており、前記スライド可能なバーは前記ブラケットの孔内で軸方向に移動するようになっていることを特徴とする請求項２に記載のセイフティロックアウトデバイス。
【請求項６】
スイッチ装置用のセイフティロックアウトデバイスであって、
前記スイッチ装置を動作させるための電気モーターであって、モーターハウジングの外部に延在する部分を有するモーターシャフトを含んでいる電気モーターと、
前記モーターへの電力を電気的に遮断するための手段と、
前記モーターを動作しないように機械的にブロックするための手段と、
前記電気的に遮断するための手段を作動させるために及び前記機械的にブロックするための手段を係合するためにホットスティックによって操作可能な可動部材と、を具備することを特徴とするセイフティロックアウトデバイス。
【請求項７】
前記電気的に遮断するための手段はボールリミットスイッチを備えることを特徴とする請求項６に記載のセイフティロックアウトデバイス。
【請求項８】
前記可動部材は、前記ボールリミットスイッチが前記スイッチを閉じるように押圧される第１のポジションへと移動することができ、かつ、前記可動部材は、前記スイッチを開くために前記ボールリミットスイッチが押圧されていない第２のポジションへと移動することができることを特徴とする請求項７に記載のセイフティロックアウトデバイス。
【請求項９】
前記機械的にブロックするための手段は、前記モーターハウジングの外部に突出する部分において前記モーターシャフトに対して結合されたブロックアームを備え、かつ、前記可動部材は、前記ブロックアームが前記モーターシャフトと共に自由に回転できる第１のポジションへと移動させることが可能であり、かつ、前記可動部材は、前記ブロックアームが前記モーターシャフトの回転および前記スイッチ装置の状態の変更を阻止するために、前記可動部材と係合する第２のポジションへと移動させることができることを特徴とする請求項６に記載のセイフティロックアウトデバイス。
【請求項１０】
前記可動部材は、第１のポジションから第２のポジションへと移動させられるよう構成された直線的にスライド可能なバーであり、前記第１のポジションにおいては、前記電気的に切断するための手段は前記モーターに電力を供給するための閉回路であり、かつ、前記機械的にブロックするための手段は前記モーターシャフトと共に自由に回転することができ、かつ、前記第２のポジションにおいては、前記電気的に切断するための手段は前記モーターへの電力を遮断する開回路であり、かつ、前記可動部材の端部は前記モーターシャフトの回転および前記スイッチ装置の状態の変更を阻止するために、前記ブロックアームと係合することを特徴とする請求項６に記載のセイフティロックアウトデバイス。
【請求項１１】
前記可動部材はホットスティックループを含むことを特徴とする請求項６に記載のセイフティロックアウトデバイス。
【請求項１２】
スイッチ装置用のセイフティロックアウトデバイスであって、
前記スイッチ装置に対して搭載された電気的に作動させられるモーターを含むモーターボックスと、
前記モーターボックスに対して搭載されかつ前記モーターに対して電気的に接続された単一ポールスイッチであって、開ポジションおよび閉ポジションを有する単一ポールスイッチと、
第１のポジションと第２のポジションとの間で動作するよう構成された可動部材と、
前記モーターボックスの外部に突出する前記モーターのシャフトに結合されたブロックアームと、を具備し、前記第１のポジションにおいては、前記可動部材は前記電気モーター回路を閉じるために前記スイッチと係合しかつ前記ブロックアームは前記モーターシャフトと共に自由に回転することができ、かつ、前記第２のポジションにおいては、前記可動部材の一端は前記スイッチと係合せず、かつ、前記スイッチは前記モーターへの電力を遮断する開ポジションであり、かつ、前記可動部材の他端は前記モーターボックスハウジングを越えて突出し、これによって、前記モーターの作動時、前記ブロックアームは前記モーターシャフトの回転および前記スイッチ装置の状態の変更を阻止するために、前記可動部材と係合することを特徴とするセイフティロックアウトデバイス。
【請求項１３】
前記可動部材は、軸方向にスライド可能なバーであることを特徴とする請求項１２に記載のセイフティロックアウトデバイス。
【請求項１４】
前記可動部材は、ホットスティックループを含むことを特徴とする請求項１２に記載のセイフティロックアウトデバイス。
【請求項１５】
前記スイッチは、ボールが押圧された際にスイッチが閉じられかつ前記ボールが押圧されていないときに前記スイッチは前記モーターへの電力を遮断する開回路となるボールリミットスイッチであることを特徴とする請求項１２に記載のセイフティロックアウトデバイス。
【請求項１６】
前記スライド可能なバーは、それ自体に孔を有する一対の離間したブラケットを用いてスイッチ装置モーターボックスに対して搭載されており、前記スライド可能なバーは前記ブラケットの孔内で軸方向に移動するようになっていることを特徴とする請求項１３に記載のセイフティロックアウトデバイス。
【発明の詳細な説明】
【技術分野】
【０００１】
本発明は、スイッチ装置用のセイフティロックアウトデバイスに、さらに詳しくは、スイッチ装置のモーターを電気的に隔離しかつモーターをスイッチを閉じないように機械的にブロックするデバイスに関する。
【背景技術】
【０００２】
スイッチ装置のメンテナンスおよび／または修理の間、デバイスへの電力が遮断されることを保証することが重要である。電力が局所的にシャットオフされていても、多くのスイッチ装置アプリケーションは遠隔操作を可能とする。したがって、スイッチ装置に関して、作業するオペレータの安全を保証するために、スイッチ装置モーターを電気的に隔離し、スイッチ装置の状態の視覚的指標を提供し、そしてまたスイッチ装置が遠隔位置から操作されないことを機械的に保証するための手段を提供するデバイスを提供することが有益であろう。
【発明の概要】
【発明が解決しようとする課題】
【０００３】
したがって、本発明の目的は、スイッチ装置への電力を隔離するためにセイフティロックアウトとして機能できるスイッチ装置用のデバイスを提供し、そしてまた遠隔位置からスイッチ装置の給電および動作を機械的に阻止するための手段を提供することである。
【０００４】
本発明のさらなる目的は、ホットスティックを用いて作動させることができるスイッチ装置用のセイフティロックアウトデバイスを提供することである。
【課題を解決するための手段】
【０００５】
本発明の上記およびその他の目的は、ロックアウトスイッチであって、モーターへの電力を電気的に遮断するための手段と、モーターが動作しないように機械的にブロックするための手段と、電気的遮断手段および機械的ブロック手段を作動させるためにホットスティックによって操作可能な可動部材とを備えたロックアウトスイッチを提供することによって達成される。電気的遮断手段は、好ましくは、プッシュボタンの形態のリミットスイッチ、さらに好ましくは、押圧されていないときにモーターへの電圧を遮断するボールリミットスイッチである。モーターを動作しないように機械的にブロックするための手段は、好ましくは、モーターが作動しようとしたとき可動部材と係合するモーターシャフトに結合されたブロックアームである。
【０００６】
好ましい実施形態では、セイフティロックアウトデバイスは、バーがボールリミットスイッチと係合しかつそれを押圧する第１のポジションへと置かれるのに十分な長さを有する軸方向にスライド可能なバーを含む。こうして、電力はモーターに供給される。この第１のポジションでは、ブロックアームは、モーターシャフトと共に自由に回転できかつ通常通り動作できる。第２のポジションへとスライド可能なバーをスライドさせた際、バーの一端は、ボールを露出させる（すなわち押圧されない）ために、ボールリミットスイッチから離れるように移動させられ、そしてモーターへの電圧が遮断される。また、スライド可能なバーの他端は、それがブロックアームを係合するための物理的障害物を提供するようにモーターハウジングを越えて突出し、かつ、スイッチ装置モーターの動作を妨げるように配置される。スライド可能なバーは、好ましくは、開口を備えた外向きに突出するアイ、すなわちホットスティックループを含み、この結果、セイフティロックアウトデバイスは、ホットスティックを用いることで、安全な距離から操作することができる。
【図面の簡単な説明】
【０００７】
【図１】モールド真空スイッチに対して取り付けられたモーターボックス上に搭載された本発明のスイッチ装置セイフティロックアウトデバイスを示す図である。
【図２】スイッチ装置モーターが動作不能とされた第１のポジションでの図１のセイフティロックアウトデバイスの拡大図である。
【図３】図１のセイフティロックアウトデバイスの正面図である。
【図４】スイッチ装置モーターが動作モードにある第２のポジションでの図１のセイフティロックアウトデバイスの拡大図である。
【発明を実施するための形態】
【０００８】
スイッチ装置のメンテナンスおよび／または修理の間、スイッチ装置の作動を防止するために駆動モーターへの電力が遮断されることが重要である。本発明は、スイッチ装置の動作のためのモーターへの電力を遮断するセイフティロックアウトデバイスである。図１に示されるセイフティロックアウトデバイス２は、スイッチ装置上に、この例では、モールド真空スイッチ６に対して取り付けられたモーターボックス４の上に搭載される。モールド真空スイッチは、ホットスティックの使用を可能とするために、その端部に開口を有する操作ハンドル８の動作によって給電／断電されてもよい。図１に示すように、モールド真空スイッチは、開かれた、断電ポジションである。スイッチを給電状態とするために、操作ハンドルは、電気回路を閉じるように下方に動作させられる。給電状態では、モーターはスイッチ装置の状態を変更するために作動させることができる。
【０００９】
図２および図３は、本発明のセイフティロックアウトデバイスの拡大図である。セイフティロックアウトデバイスは、モーターの電力を電気的に切り離すための手段を含む。図２および図３に示す好ましい実施形態では、ロックアウトデバイスは、モーターへの電力を遮断するためにボールリミットスイッチ１０を使用する。さらに詳しく言うと、このボールリミットスイッチは、単一のポールスイッチであり、ボールが押圧されたとき、回路が閉じられ、電力はモーターコントローラーへと伝わる。図２および図３に示すように、リミットスイッチのボールが押圧されていないとき、モーターへの電力を遮断する開回路が形成される。当業者にとって、その他のタイプのスイッチをモーターへの電力を遮断するために使用でき、そしてそれが本発明の範囲に包含されることは明らかである。
【００１０】
さらに図２および図３に示すように、セイフティロックアウトデバイスはまた、モーターが動作するのを機械的にブロックするための手段を含む。図２および図３の好ましい実施形態では、モーターは、モーターボックス４の外面の外側に突出するモーターシャフト１４に対して設けられた機械的ブロックアーム１２の組み合わせによって機械的にブロックされる。スライド可能なバー１６の形態の可動部材はモーターボックス４の外面に搭載される。スライド可能なバーは、図４に示すような第１のポジションとなるように直線的に移動可能であり、このポジションでは、バーの一端は電気モーター回路を閉じるためにボールリミットスイッチ１０を覆いかつそれを押圧し、かつ、バーの他端はブロックアーム１２との可能な係合から離れるように移動させられる。したがって、第１のポジションでは、スイッチ装置は給電され、通常どおり作動することができる。
【００１１】
図２および図３に示すように、スライド可能なバー１６は第２のポジションへと移動させられることができ、このポジションでは、バーの一端は、ボールがもはや押圧されないように、ボールリミットスイッチ１０を露出させるように移動させられる。第２のポジションでは、モーター回路への電力は遮断される。スライド可能なバー１６の反対側端部はモーターボックスの側壁を通過して直線的に移動し、これによって、モーターが意図せずして給電された場合に、ブロックアーム１２がモーターシャフトと共に回転してスライド可能なバーと係合し、これによってスイッチの状態が変化するのを阻止する。したがって、第２のポジションでは、メンテナンスおよび／または修理を行うオペレータを保護するために、モーターは電気的に隔離されかつスイッチ装置を作動させないようにモーターはまた機械的にブロックされる。
【００１２】
スライド可能なバー１６は、好ましくは、一対の離間したブラケット１８，２０を用いてモーターボックスに対して搭載される。各ブラケットは、スライド可能なバー１６をスライド可能に受けるための孔を含む。スライド可能なバー１６はまた、モーターボックスから外部に突出するホットスティックループ２２を含み、この結果、スライド可能なバー１６は、ホットスティックを用いて、安全な距離から、第１のポジションから第２のポジションへと移動させることができる。図２および図３に示すように、スライド可能なバー１６は、好ましくは、ブロックアーム１２との係合面に切欠き２４を含む。同様に、ブロックアーム１２は、メンテナンスあるいは修理の間、モーターの意図しない給電の際に、スライド可能なバーとの係合のための切欠き２６を含む。さらに、本発明のセイフティロックアウトデバイスはまた、水に浸かった際に作動するように構成される。
【００１３】
本発明のセイフティロックアウトデバイスはまた、スイッチ装置の内部にアクセスするのが安全である否かを判定するために、スイッチ装置の状態の視覚的指標をオペレータに提供する。たとえば、オペレータは、図２および図３に示されるように、第２のポジションにおいては、リミットスイッチ１０は露出させられ、かつ、スライド可能なバー１６は、モーターがスイッチ装置の状態の変化を阻止するために作動させられる場合にブロックアームと係合することを明確に認識できる。したがって、モーターを電気的に隔離しかつメンテナンスおよび修理の間にモーターの意図しない動作を阻止するために機械的ブロック手段を提供するという目的は、本明細書で説明しかつ図面に示したセイフティロックアウトデバイスによって達成される。
【００１４】
当業者であれば、本発明の目的はさまざまなコンポーネント部品を用いて達成可能であることは明らかである。例えば、スライド可能なバー１６は、ボールリミットスイッチ１０を作動させかつ第２のポジションにおいてブロックアーム１２と係合するための回転および／または旋回部材で置き換えることが可能である。本発明の範囲に包含されるその他の変更は、さまざまな電気的スイッチおよび／または改変されたブロックアームを含む。
【００１５】
本発明のさまざまな実施形態について図示・説明してきたが、さまざまな変形および変更は当業者には自明である。特許請求の範囲においては、本発明の範囲および趣旨に包含される全てのそうした変形および変更を保護することが意図されている。
【符号の説明】
【００１６】
２  セイフティロックアウトデバイス
４  モーターボックス
６  モールド真空スイッチ
１０  リミットスイッチ
１２  ブロックアーム
１４  モーターシャフト
１６  バー
１８，２０  ブラケット
２２  ホットスティックループ
【図１】
0005838242.tif 000002
【図２】
0005838242.tif 000003
【図３】
0005838242.tif 000004
【図４】
0005838242.tif 000005